(57)【特許請求の範囲】
【請求項１】
化粧が施された被験者の顔を撮影した撮影画像を入力する画像入力部と、
前記画像入力部に入力された前記撮影画像の明るさの値と色成分の値に基づいて化粧が施された前記被験者の顔の明るさ・色指標を算出する明るさ・色指標算出部と、
前記画像入力部に入力された前記撮影画像の前記明るさの値と前記色成分の値に基づいて化粧が施された前記被験者の顔の凹凸部分を検出し、前記凹凸部分の存在量に基づいて形状指標を算出する形状指標算出部と、
前記明るさ・色指標と前記形状指標とに基づいて化粧が施された前記被験者の顔の視覚的うるおい感を評価するうるおい感評価部と
を備え、
前記明るさ・色指標算出部は、前記被験者の顔の頬部分に第１の評価領域を設定すると共に前記第１の評価領域の周辺部に基準領域を設定して前記第１の評価領域と前記基準領域との間で前記明るさの代表値の差および前記色成分に含まれる彩度の代表値の差のうち少なくとも一方を算出することにより化粧に伴うツヤの発生量を算出するツヤ算出部と、前記明るさの値または前記色成分の値に基づいてシミ部分を検出することにより前記シミ部分の存在量を算出するシミ算出部と、前記明るさの値または前記色成分の値に基づいて色むら部分を検出することにより前記色むら部分の存在量を算出する色むら算出部とを有し、前記ツヤの発生量、前記シミ部分の存在量および前記色むら部分の存在量の全てを前記明るさ・色指標として算出し、
前記形状指標算出部は、前記明るさの値に基づいてシワ部分を検出することにより前記シワ部分の存在量を算出するシワ算出部と、前記明るさの値または前記色成分の値に基づいて毛穴部分を検出することにより前記毛穴部分の存在量を算出する毛穴算出部とを有し、前記シワ部分の存在量および前記毛穴部分の存在量の全てを前記形状指標として算出するうるおい感評価装置。
【請求項２】
前記ツヤ算出部は、前記第１の評価領域および前記基準領域のそれぞれについて前記彩度の平均値または前記彩度の最低値を求めることにより、前記第１の評価領域と前記基準領域との間で前記彩度の平均値の差または前記彩度の最低値の差を前記彩度の代表値の差として算出する請求項１に記載のうるおい感評価装置。
【請求項３】
前記ツヤ算出部は、前記第１の評価領域および前記基準領域のそれぞれについて前記明るさの平均値または前記明るさの最大値を求めることにより、前記第１の評価領域と前記基準領域との間で前記明るさの平均値の差または前記明るさの最大値の差を前記明るさの代表値の差として算出する請求項１または２に記載のうるおい感評価装置。
【請求項４】
前記シミ算出部は、前記被験者の顔に第２の評価領域を設定して、前記明るさの値または前記色成分の値が局所的に変化し且つ所定の大きさを有する前記シミ部分を前記第２の評価領域から検出し、前記シミ部分の総面積、前記第２の評価領域に対する前記シミ部分の面積率、前記シミ部分の濃淡および前記第２の評価領域における前記シミ部分の個数のうち少なくとも一つを前記シミ部分の存在量として算出し、
前記色むら算出部は、前記被験者の顔に第３の評価領域を設定して、前記明るさの値または前記色成分の値が局所的に変化し且つ前記シミ部分より大きい前記色むら部分を前記第３の評価領域から検出し、前記色むら部分の総面積、前記第３の評価領域に対する前記色むら部分の面積率、前記色むら部分の濃淡および前記第３の評価領域における前記色むら部分の個数のうち少なくとも一つを前記色むら部分の存在量として算出する請求項２または３に記載のうるおい感評価装置。
【請求項５】
前記シワ算出部は、前記被験者の顔に小鼻から口角に延びる第４の評価領域を設定して、前記第４の評価領域において前記明るさの値が低下する前記シワ部分を検出し、前記シワ部分の総面積、前記第４の評価領域に対する前記シワ部分の面積率、前記シワ部分の濃淡および前記シワ部分の長さのうち少なくとも一つを前記シワ部分の存在量として算出し、
前記毛穴算出部は、前記被験者の顔に第５の評価領域を設定して、前記明るさの値または前記色成分の値が局所的に変化し且つ前記シミ部分より小さい前記毛穴部分を前記第５の評価領域から検出し、前記毛穴部分の総面積、前記第５の評価領域に対する前記毛穴部分の面積率、前記毛穴部分の濃淡および前記第５の評価領域における前記毛穴部分の個数のうち少なくとも一つを前記毛穴部分の存在量として算出する請求項４に記載のうるおい感評価装置。
【請求項６】
前記うるおい感評価部は、化粧が施された複数の被験者の顔を目視評価することにより前記明るさ・色指標と前記形状指標の線形和に対する前記視覚的うるおい感の基準値を予め算出し、前記基準値に基づいて前記視覚的うるおい感を評価する請求項１〜５のいずれか一項に記載のうるおい感評価装置。
【請求項７】
前記明るさ・色指標と前記形状指標の線形和に対する前記基準値を格納するデータベースをさらに備え、
前記うるおい感評価部は、前記明るさ・色指標算出部で算出された前記明るさ・色指標の値と前記形状指標算出部で算出された前記形状指標の値とに基づいて前記データベースを参照することにより前記視覚的うるおい感の評価値を求める請求項６に記載のうるおい感評価装置。
【請求項８】
うるおい感評価装置の作動方法であって、
前記うるおい感評価装置は、画像入力部と、明るさ・色指標算出部と、形状指標算出部と、うるおい感評価部と、を有し、
前記明るさ・色指標算出部は、ツヤ算出部と、シミ算出と、色むら算出部とを備え、前記形状指標算出部は、シワ算出部と、毛穴算出部とを備え、
前記明るさ・色指標算出部は、前記被験者の顔の頬部分に第１の評価領域を設定すると共に前記第１の評価領域の周辺部に基準領域を設定して、前記撮影画像の明るさの値および色成分に含まれる彩度の値に基づいて前記第１の評価領域と前記基準領域の前記明るさの代表値と前記彩度の代表値をそれぞれ算出するものであって、
前記画像入力部が、化粧が施された被験者の顔を撮影した撮影画像を入力する工程と、
前記ツヤ算出部が、前記第１の評価領域と前記基準領域との間で前記明るさの代表値の差および前記彩度の代表値の差のうち少なくとも一方を算出することにより化粧に伴うツヤの発生量を算出する工程と、
前記シミ算出部は、前記撮影画像の前記明るさの値または前記色成分の値に基づいてシミ部分を検出することにより前記シミ部分の存在量を算出する工程と、
前記色むら算出部は、前記撮影画像の前記明るさの値または前記色成分の値に基づいて色むら部分を検出することにより前記色むら部分の存在量を算出する工程と、
前記シワ算出部は、前記撮影画像の前記明るさの値に基づいてシワ部分を検出することにより前記シワ部分の存在量を算出する工程と、
前記毛穴算出部は、前記撮影画像の前記明るさの値または前記色成分の値に基づいて毛穴部分を検出することにより前記毛穴部分の存在量を算出する工程と、
前記明るさ・色指標部が、前記ツヤの発生量、前記シミ部分の存在量および前記色むら部分の存在量の全てを明るさ・色指標として算出すると共に、前記形状指標算出部が、前記シワ部分の存在量および前記毛穴部分の存在量の全てを形状指標として算出する工程と、
前記うるおい感評価部が、前記明るさ・色指標と前記形状指標とに基づいて化粧が施された前記被験者の顔の視覚的うるおい感を評価する工程と、からなるうるおい感評価装置の作動方法。
【請求項９】
化粧が施された被験者の顔を撮影した撮影画像を入力するステップと、
前記被験者の顔の頬部分に第１の評価領域を設定すると共に前記第１の評価領域の周辺部に基準領域を設定して、前記撮影画像の明るさの値および色成分に含まれる彩度の値に基づいて前記第１の評価領域と前記基準領域の前記明るさの代表値と前記彩度の代表値をそれぞれ算出し、前記第１の評価領域と前記基準領域との間で前記明るさの代表値の差および前記彩度の代表値の差のうち少なくとも一方を算出することにより化粧に伴うツヤの発生量を算出するステップと、
前記撮影画像の前記明るさの値または前記色成分の値に基づいてシミ部分を検出することにより前記シミ部分の存在量を算出するステップと、
前記撮影画像の前記明るさの値または前記色成分の値に基づいて色むら部分を検出することにより前記色むら部分の存在量を算出するステップと、
前記撮影画像の前記明るさの値に基づいてシワ部分を検出することにより前記シワ部分の存在量を算出するステップと、
前記撮影画像の前記明るさの値または前記色成分の値に基づいて毛穴部分を検出することにより前記毛穴部分の存在量を算出するステップと、
前記ツヤの発生量、前記シミ部分の存在量および前記色むら部分の存在量の全てを明るさ・色指標とすると共に前記シワ部分の存在量および前記毛穴部分の存在量の全てを形状指標として、前記明るさ・色指標と前記形状指標とに基づいて化粧が施された前記被験者の顔の視覚的うるおい感を評価するステップとをコンピュータに実行させるためのうるおい感評価プログラム。
【発明の詳細な説明】
【技術分野】
【０００１】
この発明は、うるおい感評価装置、うるおい感評価装置の作動方法およびうるおい感評価プログラムに係り、特に、被験者の顔を撮影した撮影画像に基づいてうるおい感を評価するうるおい感評価装置、うるおい感評価装置の作動方法およびうるおい感評価プログラムに関する。
【背景技術】
【０００２】
近年、美容分野において、肌のうるおい感を評価する様々な方法が提案されている。一般的に、うるおい感のある肌とは、水分を含んでいるように見えるみずみずしい肌を示すが、単に肌の水分量などを測定して肌のうるおい感を評価しても、実際に観察者が肌を見て評価した目視評価との間に高い相関を得ることができなかった。そこで、目視評価との相関が高い評価方法が求められている。
【０００３】
このような、うるおい感の評価方法としては、例えば、特許文献１に開示されているように、ヒトの皮膚の表面における、平均摩擦係数及び／又は平均摩擦係数の変動係数と、皮膚の状態を表す目視指標とを関連付けて皮膚のうるおい感を評価する、皮膚の状態の評価方法が提案されている。このように、ヒトの皮膚の物理特性を目視指標と関連付けて評価することにより、うるおい感を高精度に評価することができる。
【０００４】
また、近年では、化粧が施された肌（化粧肌）についてもうるおい感を高精度に評価することが求められている。特許文献１では、化粧処理後の皮膚のうるおい感を評価することも提案されている。
【先行技術文献】
【特許文献】
【０００５】
【特許文献１】特開２００３−０２４２８２号公報
【発明の概要】
【発明が解決しようとする課題】
【０００６】
しかしながら、特許文献１の評価方法は、化粧肌の部分的な物理特性に基づいてうるおい感を評価するものであり、化粧肌を部分的に観察する目視評価に対しては高い相関が得られるものの化粧肌全体を見たときのうるおい感（視覚的うるおい感）を評価する目視評価に対しては高い相関が得られなかった。実際にうるおい感を評価するときには、化粧肌全体を見て視覚的うるおい感を評価しており、実際に化粧肌を見たときのうるおい感の感覚と大きく異なる評価結果となっていた。特に、顔は、位置によって化粧肌の状態が複雑に変化しており、一部分だけの評価または１種類だけの物理特性から、実際に化粧肌を見たときのうるおい感の感覚と相関が高い評価結果を得ることは困難である。
【０００７】
この発明は、このような従来の問題点を解消するためになされたもので、化粧が施された被験者の顔の視覚的うるおい感を高精度に評価することができるうるおい感評価装置、うるおい感評価装置の作動方法およびうるおい感評価プログラムを提供することを目的とする。
【課題を解決するための手段】
【０００８】
この発明に係るうるおい感評価装置は、化粧が施された被験者の顔を撮影した撮影画像を入力する画像入力部と、画像入力部に入力された撮影画像の明るさの値と色成分の値に基づいて化粧が施された被験者の顔の明るさ・色指標を算出する明るさ・色指標算出部と、画像入力部に入力された撮影画像の明るさの値と色成分の値に基づいて化粧が施された被験者の顔の凹凸部分を検出し、凹凸部分の存在量に基づいて形状指標を算出する形状指標算出部と、明るさ・色指標と形状指標とに基づいて化粧が施された被験者の顔の視覚的うるおい感を評価するうるおい感評価部とを備え、明るさ・色指標算出部は、被験者の顔の頬部分に第１の評価領域を設定すると共に第１の評価領域の周辺部に基準領域を設定して第１の評価領域と基準領域との間で明るさの代表値の差および色成分に含まれる彩度の代表値の差のうち少なくとも一方を算出することにより化粧に伴うツヤの発生量を算出するツヤ算出部と、明るさの値または色成分の値に基づいてシミ部分を検出することによりシミ部分の存在量を算出するシミ算出部と、明るさの値または色成分の値に基づいて色むら部分を検出することにより色むら部分の存在量を算出する色むら算出部とを有し、ツヤの発生量、シミ部分の存在量および色むら部分の存在量の全てを明るさ・色指標として算出し、形状指標算出部は、明るさの値に基づいてシワ部分を検出することによりシワ部分の存在量を算出するシワ算出部と、明るさの値または色成分の値に基づいて毛穴部分を検出することにより毛穴部分の存在量を算出する毛穴算出部とを有し、シワ部分の存在量および毛穴部分の存在量の全てを形状指標として算出するものである。
【０００９】
ここで、ツヤ算出部は、第１の評価領域および基準領域のそれぞれについて彩度の平均値または彩度の最低値を求めることにより、第１の評価領域と基準領域との間で彩度の平均値の差または彩度の最低値の差を彩度の代表値の差として算出することが好ましい。
また、ツヤ算出部は、第１の評価領域および基準領域のそれぞれについて明るさの平均値または明るさの最大値を求めることにより、第１の評価領域と基準領域との間で明るさの平均値の差または明るさの最大値の差を明るさの代表値の差として算出することが好ましい。
【００１０】
また、シミ算出部は、被験者の顔に第２の評価領域を設定して、明るさの値または色成分の値が局所的に変化し且つ所定の大きさを有するシミ部分を第２の評価領域から検出し、シミ部分の総面積、第２の評価領域に対するシミ部分の面積率、シミ部分の濃淡または第２の評価領域におけるシミ部分の個数をシミ部分の存在量として算出し、色むら算出部は、被験者の顔に第３の評価領域を設定して、明るさの値または色成分の値が局所的に変化し且つシミ部分より大きい色むら部分を第３の評価領域から検出し、色むら部分の総面積、第３の評価領域に対する色むら部分の面積率、色むら部分の濃淡または第３の評価領域における色むら部分の個数を色むら部分の存在量として算出することが好ましい。
【００１１】
また、シワ算出部は、被験者の顔に小鼻から口角に延びる第４の評価領域を設定して、第４の評価領域において明るさの値が低下するシワ部分を検出し、シワ部分の総面積、第４の評価領域に対するシワ部分の面積率、シワ部分の濃淡またはシワ部分の長さをシワ部分の存在量として算出し、毛穴算出部は、被験者の顔に第５の評価領域を設定して、明るさの値または色成分の値が局所的に変化し且つシミ部分より小さい毛穴部分を第５の評価領域から検出し、毛穴部分の総面積、第５の評価領域に対する毛穴部分の面積率、毛穴部分の濃淡または第５の評価領域における毛穴部分の個数を毛穴部分の存在量として算出することが好ましい。
【００１２】
また、うるおい感評価部は、化粧が施された複数の被験者の顔を目視評価することにより明るさ・色指標と形状指標の線形和に対する視覚的うるおい感の基準値を予め算出し、基準値に基づいて視覚的うるおい感を評価することができる。
【００１３】
また、明るさ・色指標と形状指標の線形和に対する基準値を格納するデータベースをさらに備え、うるおい感評価部は、明るさ・色指標算出部で算出された明るさ・色指標の値と形状指標算出部で算出された形状指標の値とに基づいてデータベースを参照することにより視覚的うるおい感の評価値を求めることができる。
【００１４】
この発明に係るうるおい感評価装置の作動方法は、うるおい感評価装置が、画像入力部と、明るさ・色指標算出部と、形状指標算出部と、うるおい感評価部と、を有し、明るさ・色指標算出部は、ツヤ算出部と、シミ算出と、色むら算出部とを備え、形状指標算出部は、シワ算出部と、毛穴算出部とを備え、明るさ・色指標算出部は、被験者の顔の頬部分に第１の評価領域を設定すると共に第１の評価領域の周辺部に基準領域を設定して、撮影画像の明るさの値および色成分に含まれる彩度の値に基づいて第１の評価領域と基準領域の明るさの代表値と彩度の代表値をそれぞれ算出するものであって、画像入力部が、化粧が施された被験者の顔を撮影した撮影画像を入力する工程と、ツヤ算出部が、第１の評価領域と基準領域との間で明るさの代表値の差および彩度の代表値の差のうち少なくとも一方を算出することにより化粧に伴うツヤの発生量を算出する工程と、シミ算出部は、撮影画像の明るさの値または色成分の値に基づいてシミ部分を検出することによりシミ部分の存在量を算出する工程と、色むら算出部は、撮影画像の明るさの値または色成分の値に基づいて色むら部分を検出することにより色むら部分の存在量を算出する工程と、シワ算出部は、撮影画像の明るさの値に基づいてシワ部分を検出することによりシワ部分の存在量を算出する工程と、毛穴算出部は、撮影画像の明るさの値または色成分の値に基づいて毛穴部分を検出することにより毛穴部分の存在量を算出する工程と、前記明るさ・色指標部が、ツヤの発生量、シミ部分の存在量および色むら部分の存在量の全てを明るさ・色指標として算出すると共に、形状指標算出部が、シワ部分の存在量および毛穴部分の存在量の全てを形状指標として算出する工程と、うるおい感評価部が、明るさ・色指標と形状指標とに基づいて化粧が施された被験者の顔の視覚的うるおい感を評価する工程と、からなるものである。
【００１５】
この発明に係るうるおい感評価プログラムは、化粧が施された被験者の顔を撮影した撮影画像を入力するステップと、被験者の顔の頬部分に第１の評価領域を設定すると共に第１の評価領域の周辺部に基準領域を設定して、撮影画像の明るさの値および色成分に含まれる彩度の値に基づいて第１の評価領域と基準領域の明るさの代表値と彩度の代表値をそれぞれ算出し、第１の評価領域と基準領域との間で明るさの代表値の差および彩度の代表値の差のうち少なくとも一方を算出することにより化粧に伴うツヤの発生量を算出するステップと、撮影画像の明るさの値または色成分の値に基づいてシミ部分を検出することによりシミ部分の存在量を算出するステップと、撮影画像の明るさの値または色成分の値に基づいて色むら部分を検出することにより色むら部分の存在量を算出するステップと、撮影画像の明るさの値に基づいてシワ部分を検出することによりシワ部分の存在量を算出するステップと、撮影画像の明るさの値または色成分の値に基づいて毛穴部分を検出することにより毛穴部分の存在量を算出するステップと、ツヤの発生量、シミ部分の存在量および色むら部分の存在量の全てを明るさ・色指標とすると共にシワ部分の存在量および毛穴部分の存在量の全てを形状指標として、明るさ・色指標と形状指標とに基づいて化粧が施された被験者の顔の視覚的うるおい感を評価するステップとをコンピュータに実行させるものである。
【発明の効果】
【００１６】
この発明によれば、ツヤの発生量、シミ部分の存在量および色むら部分の存在量を明るさ・色指標として算出すると共にシワ部分の存在量および毛穴部分の存在量を形状指標として算出し、明るさ・色指標と形状指標とに基づいて視覚的うるおい感を評価するので、化粧が施された被験者の顔の視覚的うるおい感を高精度に評価することが可能となる。
【図面の簡単な説明】
【００１７】
【図１】この発明に係るうるおい感評価装置の構成を示すブロック図である。
【図２】明るさ・色指標算出部の構成を示すブロック図である。
【図３】形状指標算出部の構成を示すブロック図である。
【図４】ツヤ算出部において被験者の顔に設定される評価領域を示す図である。
【図５】シワ算出部において被験者の顔に設定される評価領域を示す図である。
【図６】この発明に係るうるおい感評価装置を用いて算出された総合指標の値と目視評価値との相関を求めたグラフである。
【図７】素肌に特化したうるおい感評価装置を用いて算出された総合指標の値と目視評価値との相関を求めたグラフである。
【発明を実施するための形態】
【００１８】
以下、この発明の実施の形態を添付図面に基づいて説明する。
図１に、この発明の実施の形態に係るうるおい感評価装置の構成を示す。うるおい感評価装置は、被験者の顔Ｆを正面からカメラＣで撮影した撮影画像を用いて被験者の顔Ｆの視覚的うるおい感を評価するもので、カメラＣに接続される画像入力部１を備え、この画像入力部１に前処理部２、色空間変換部３、指標算出部４、うるおい感評価部５および表示部６が順次接続されている。また、うるおい感評価部５には、基準値データベース７が接続されている。さらに、色空間変換部３、指標算出部４およびうるおい感評価部５には制御部８が接続され、この制御部８に操作部９が接続されている。
【００１９】
画像入力部１は、化粧が施された被験者の顔Ｆ（化粧肌）を撮影したカメラＣから撮影画像を入力する。
ここで、被験者の顔に施される化粧としては、素肌に対して頬部のツヤを大きく向上させるものであり、具体的には化粧水、乳液、クリーム、オイル、美容液などのスキンケア製品が挙げられる。また、ツヤとは、頬部分の全体にわたって一様に広がる光沢を示し、例えば、頬部分と頬部分周辺の領域との間で彩度の平均値の差ΔＣ＊を算出し、この彩度の平均値の差ΔＣ＊が−２．５以上−０．５以下であるものをツヤとすることができる。なお、頬部分とは、被験者の顔に化粧を施した際にツヤが大きく向上する部分であり、頬部分周辺の領域とは、被験者の顔に化粧を施してもツヤがほとんど発生しない部分である。後述するツヤ算出部と同様に、頬部分は、目尻（目の両端部のうち耳側の端部）から約１ｃｍ下に上辺の中心が位置する３ｃｍ四方の領域に設定することができ、頬部分周辺の領域は、目頭（目の両端部のうち鼻側の端部）から約１ｃｍ下に上辺の鼻側の端部が位置する２ｃｍ四方の領域に設定することができる。
【００２０】
また、撮影画像は、被験者の顔Ｆの両方の耳が写るように被験者の顔Ｆを正面から撮影したものが好ましい。また、カメラＣから入力される撮影画像は、ＲＧＢ色空間を有するものとする。カメラＣは、被験者の顔Ｆを撮影できるものであればよく、例えば、デジタルカメラおよびＣＣＤカメラなどを用いることができ、スマートフォンなどの携帯電話で撮影した撮影画像を用いることもできる。
【００２１】
前処理部２は、画像入力部１から入力される撮影画像に対して、光量補正およびノイズ除去などの前処理を施す。
色空間変換部３は、前処理部２から入力される撮影画像の色空間を変換して色空間変換画像を生成する。色空間変換画像としては、例えば、Ｌ＊ａ＊ｂ＊色空間、ＬＣＨ色空間、またはＹＣＣ色空間などに変換した画像を用いることができる。Ｌ＊ａ＊ｂ＊色空間に変換する場合には、計算光源としてＤ６５光源を用いることができる。そして、色空間変換部３は、生成した色空間変換画像を明るさ成分（輝度成分）と色成分に分けて明るさ成分画像と色成分画像をそれぞれ生成する。具体的には、Ｌ＊ａ＊ｂ＊色空間を有する色空間変換画像であれば、明るさ成分はＬ＊成分を示し、色成分はａ＊成分（赤と緑に対応した補色成分）、ｂ＊成分（黄色と青に対応した補色成分）、Ｃ＊成分（彩度成分）およびＨｕｅ成分（色相成分）などを示すものである。
【００２２】
指標算出部４は、色空間変換部３にそれぞれ接続される明るさ・色指標算出部１０と形状指標算出部１１とを有する。
【００２３】
明るさ・色指標算出部１０は、色空間変換部３から明るさ成分画像と色成分画像がそれぞれ入力され、明るさ成分画像の明るさの値と色成分画像の色成分の値とに基づいて化粧肌の視覚的うるおい感を評価するための明るさ・色指標を算出する。
形状指標算出部１１は、色空間変換部３から明るさ成分画像と色成分画像がそれぞれ入力され、明るさ成分画像の明るさの値と色成分画像の色成分の値とに基づいて化粧肌の凹凸部分を検出し、この凹凸部分の存在量に基づいて化粧肌の視覚的うるおい感を評価するための形状指標を算出する。
明るさ・色指標算出部１０および形状指標算出部１１は、それぞれ算出した明るさ・色指標および形状指標をうるおい感評価部５に出力する。
【００２４】
基準値データベース７は、化粧が施された複数の被験者の顔を目視評価することにより予め求められた視覚的うるおい感の基準値を、明るさ・色指標の値と形状指標の値に関係付けて格納する。例えば、化粧が施された複数の被験者について、目視評価により視覚的うるおい感の基準値を求めると共に撮影画像から明るさ・色指標の値と形状指標の値を求め、この明るさ・色指標の値と形状指標の値の線形和に対する視覚的うるおい感の基準値を示す関数を算出して格納することができる。
【００２５】
うるおい感評価部５は、明るさ・色指標と形状指標に基づいて化粧が施された被験者の顔の視覚的うるおい感を評価する。
具体的には、明るさ・色指標算出部１０で算出された明るさ・色指標の値と、形状指標算出部１１で算出された形状指標の値とに基づいて、基準値データベース７を参照することにより視覚的うるおい感の評価値を求める。例えば、うるおい感評価部５は、基準値データベース７に格納された明るさ・色指標の値と形状指標の値の線形和に対する視覚的うるおい感の基準値を示す関数に基づいて、視覚的うるおい感を評価することができる。
ここで、うるおい感とは、張りおよび透明感があり且つ水分を含んでいるように見える、いわゆるみずみずしい肌を示し、うるおい感評価部５は、化粧が施された被験者の顔Ｆ全体を見たときに感じるうるおい感を示す視覚的うるおい感について評価するものである。
【００２６】
表示部６は、例えば、ＬＣＤ等のディスプレイ装置を含んでおり、うるおい感評価部５で評価された視覚的うるおい感の評価結果を表示する。
操作部９は、操作者が情報の入力操作を行うためのもので、キーボード、マウス、トラックボール、タッチパネル等から形成することができる。
制御部８は、操作者により操作部９から入力された各種の指令信号等に基づいて、うるおい感評価装置内の各部の制御を行うものである。
【００２７】
なお、色空間変換部３、指標算出部４、うるおい感評価部５および制御部８は、ＣＰＵと、ＣＰＵに各種の処理を行わせるための動作プログラムから構成されるが、それらをデジタル回路で構成してもよい。また、ＣＰＵにバスなどの信号線を介してメモリを接続することができ、例えば、画像入力部１に入力された撮影画像、色空間変換部３で生成された明るさ成分画像と色成分画像、指標算出部４で生成された画像、およびうるおい感評価部５で算出された視覚的うるおい感の評価結果などをメモリにそれぞれ格納し、このメモリに格納された画像および視覚的うるおい感の評価結果を制御部８の制御の下で表示部６に表示させることができる。
【００２８】
次に、指標算出部４の明るさ・色指標算出部１０について詳細に説明する。
図２に示すように、明るさ・色指標算出部１０は、色空間変換部３とうるおい感評価部５にそれぞれ接続されたツヤ算出部１２、シミ算出部１４および色むら算出部１５を有する。
【００２９】
ツヤ算出部１３は、明るさ・色指標として化粧肌におけるツヤの発生量を算出するものである。具体的には、ツヤ算出部１３は、色空間変換部３で生成された明るさ成分画像および色成分画像に対して、頬部分に評価領域Ｒ１を設定すると共に評価領域Ｒ１の周辺部に基準領域Ｒ１ａを設定する。続いて、ツヤ算出部１３は、評価領域Ｒ１の明るさの代表値と色成分に含まれる彩度の代表値とを算出して、評価領域Ｒ１と基準領域Ｒ１ａとの間で明るさの代表値の差と彩度の代表値の差とを算出することにより化粧に伴うツヤの発生量を算出し、このツヤの発生量を明るさ・色指標とすることができる。
ここで、明るさの代表値としては明るさの平均値および最大値などが挙げられ、彩度の代表値としては彩度の平均値および最低値などが挙げられる。すなわち、ツヤ算出部１３は、評価領域Ｒ１と基準領域Ｒ１ａとの間で、例えば、明るさの平均値の差と彩度の平均値の差、または明るさの最大値の差と彩度の最低値の差などをツヤの発生量として算出することができる。
【００３０】
シミ算出部１４は、明るさ・色指標として化粧肌におけるシミ部分の存在量を算出するものである。ここで、シミ部分とは、明るさの値または色成分の値が局所的に変化し、且つ、所定の大きさを有する、例えば大きさ（最大幅または外接円の直径）が２ｍｍより大きく５０ｍｍより小さいものを示す。
具体的には、シミ算出部１４は、色空間変換部３で生成された明るさ成分画像および色成分画像に対して、評価領域Ｒ２を設定する。評価領域Ｒ２は、例えば被験者の顔Ｆ全体または頬部分に設定することができる。続いて、シミ算出部１４は、明るさの値または色成分の値が局所的に変化し且つ所定の大きさを有するシミ部分を評価領域Ｒ２から検出し、例えば、評価領域Ｒ２におけるシミ部分の総面積、評価領域Ｒ２に対するシミ部分の面積率、明るさの強度に基づくシミ部分の濃淡、または評価領域Ｒ２におけるシミ部分の個数を明るさ・色指標として算出する。
【００３１】
色むら算出部１５は、明るさ・色指標として化粧肌における色むら部分の存在量を算出するものである。ここで、色むら部分とは、明るさの値または色成分の値が局所的に変化し且つその大きさがシミ部分より大きく、さらに境界が不明瞭なものを示す。
具体的には、色むら算出部１５は、色空間変換部３で生成された明るさ成分画像および色成分画像に対して、評価領域Ｒ３を設定する。評価領域Ｒ３は、例えば被験者の顔Ｆ全体または頬部分に設定することができる。続いて、色むら算出部１５は、明るさの値または色成分の値が局所的に変化し且つその大きさがシミ部分より大きい色むら部分を評価領域Ｒ３から検出し、例えば、評価領域Ｒ３における色むら部分の総面積、評価領域Ｒ３に対する色むら部分の面積率、明るさの強度に基づく色むら部分の濃淡、または評価領域Ｒ３における色むら部分の個数を明るさ・色指標として算出する。
【００３２】
次に、指標算出部４の形状指標算出部１１について詳細に説明する。
図３に示すように、形状指標算出部１１は、色空間変換部３とうるおい感評価部５にそれぞれ接続されたシワ算出部１６および毛穴算出部１７を有する。
【００３３】
シワ算出部１６は、形状指標として化粧肌におけるシワ部分の存在量を算出するものである。ここで、シワ部分とは、明るさの値または色成分の値が局所的に変化し且つ所定の方向に細長く延びる形状を有するものを示す。
具体的には、シワ算出部１６は、色空間変換部３で生成された明るさ成分画像に対して、小鼻から口角に延びる評価領域Ｒ４を設定する。続いて、シワ算出部１６は、評価領域Ｒ４において明るさが低下するシワ部分を検出し、例えば、評価領域Ｒ４におけるシワ部分の総面積、評価領域Ｒ４に対するシワ部分の面積率、明るさの強度に基づくシワ部分の濃淡、または評価領域Ｒ４におけるシワ部分の長さを形状指標として算出する。
【００３４】
毛穴算出部１７は、形状指標として化粧肌における毛穴部分の存在量を算出するものである。ここで、毛穴部分とは、明るさの値または色成分の値が局所的に変化し且つその大きさがシミ部分より小さいものを示す。
具体的には、毛穴算出部１７は、色空間変換部３で生成された明るさ成分画像および色成分画像に対して、評価領域Ｒ５を設定する。評価領域Ｒ５は、例えば被験者の顔Ｆ全体または頬部分に設定することができる。続いて、毛穴算出部１７は、明るさの値または色成分の値が局所的に変化し且つその大きさがシミ部分より小さい毛穴部分を評価領域Ｒ５から検出し、例えば、評価領域Ｒ５における毛穴部分の総面積、評価領域Ｒ５に対する毛穴部分の面積率、明るさの強度に基づく毛穴部分の濃淡、または評価領域Ｒ５における毛穴部分の個数を形状指標として算出する。
【００３５】
次に、この実施の形態の動作について説明する。
まず、化粧が施された被験者の顔ＦをカメラＣで撮影して得られた撮影画像が、図１に示すように、カメラＣからうるおい感評価装置の画像入力部１を介して前処理部２に入力される。撮影画像は、光源補正およびノイズ除去などの前処理が施された後、前処理部２から色空間変換部３に出力され、その撮影画像の色空間が色空間変換部３により、例えばＬ＊ａ＊ｂ＊色空間に変換されて色空間変換画像が生成される。そして、色空間変換部３は、色空間変換画像から明るさ成分と色成分を抽出し、明るさ成分画像と色成分画像をそれぞれ生成する。例えば、明るさ成分画像としてＬ＊成分画像を生成することができ、色成分画像としてＣ＊成分画像、ａ＊成分画像およびｂ＊成分画像を生成することができる。
【００３６】
色空間変換部３は、生成した明るさ成分画像と色成分画像を明るさ・色指標算出部１０のツヤ算出部１３、シミ算出部１４および色むら算出部１５にそれぞれ出力する。
【００３７】
ツヤ算出部１３は、色空間変換部３で生成された明るさ成分画像および色成分画像に対して、被験者の顔Ｆの頬部分に評価領域Ｒ１を設定すると共に評価領域の周辺部に基準領域Ｒ１を設定する。例えば、Ｌ＊成分画像およびＣ＊成分画像に対して、図４に示すように、評価領域Ｒ１と基準領域Ｒ１ａをそれぞれ設定することができる。
評価領域Ｒ１は、例えば、目尻Ｅａ（目の両端部のうち耳側の端部）から約１ｃｍ下に上辺の中心が位置する３ｃｍ四方の領域に設定することができる。また、基準領域Ｒ１ａは、目頭Ｅｂ（目の両端部のうち鼻側の端部）から約１ｃｍ下に上辺の鼻側の端部が位置する２ｃｍ四方の領域に設定することができる。
【００３８】
一般に、スキンケア製品などを塗布して被験者の顔に化粧を施すと、化粧を施す前の素肌に対して、頬部Ｋのツヤが大きく向上する。すなわち、素肌と化粧肌では、頬部Ｋに生じるツヤが大きく異なることになる。そこで、化粧に伴ってツヤが大きく向上する評価領域Ｒ１と、化粧によるツヤの変化が比較的少ない基準領域Ｒ１ａとを比較することにより、化粧に伴うツヤの発生量を算出することができる。
【００３９】
具体的には、ツヤ算出部１３は、明るさ成分画像のＬ＊の値と色成分画像のＣ＊の値とに基づいて、評価領域Ｒ１におけるＬ＊の平均値とＣ＊の平均値をそれぞれ算出すると共に基準領域Ｒ１ａにおけるＬ＊の平均値とＣ＊の平均値をそれぞれ算出する。続いて、ツヤ算出部１３は、評価領域Ｒ１におけるＬ＊の平均値と基準領域Ｒ１ａにおけるＬ＊の平均値との差分ΔＬ＊を化粧に伴うツヤの発生量として算出する。同様に、ツヤ算出部１３は、評価領域Ｒ１におけるＣ＊の平均値と基準領域Ｒ１ａにおけるＣ＊の平均値との差分ΔＣ＊を化粧に伴うツヤの発生量として算出する。
【００４０】
この化粧に伴うツヤの発生量は、被験者の顔Ｆを全体的に見たときのうるおい感（視覚的うるおい感）に大きく影響を与えるものである。しかしながら、素肌においては頬部Ｋに生じるツヤの量が少ないため、素肌に特化したうるおい感の評価方法では、ツヤの量が評価結果に大きく影響を与えるものではなく、化粧肌の視覚的うるおい感を高精度に評価することができない。そこで、上記のように算出されたツヤの発生量を明るさ・色指標として視覚的うるおい感の評価指標に加えることにより、化粧肌の視覚的うるおい感を高精度に評価することができる。
【００４１】
ここで、ツヤの発生量は、ΔＬ＊の値が高く且つΔＣ＊の値が低いほど、化粧肌の視覚的うるおい感は高く感じられるものである。そこで、ツヤ算出部１３は、ΔＬ＊の値とΔＣ＊の値を明るさ・色指標としてうるおい感評価部５に出力する。
なお、ΔＬ＊の値が過剰に高く且つΔＣ＊の値が過剰に低い場合には、不自然に強い光沢、いわゆるテカリが生じた印象を与えて視覚的うるおい感の低下を引き起こす。このため、ΔＬ＊の値が５以下で且つΔＣ＊の値が−２．５以上であることが好ましい。
【００４２】
シミ算出部１４は、色空間変換部３で生成された明るさ成分画像または色成分画像に対して評価領域Ｒ２を設定し、評価領域Ｒ２からシミ部分を検出する。例えば、Ｌ＊成分画像に対して被験者の顔Ｆの頬部分に評価領域Ｒ２を設定することができる。
【００４３】
ここで、シミ部分は、例えば、Ｄｏｇ画像（Difference of Gaussian画像）を生成することにより検出することができる。具体的には、Ｌ＊成分画像からガウシアンの大きさが異なるＤｏｇ画像を生成する。一般的に、シミは外接円の直径が２ｍｍ以上１０ｍｍ未満の大きさで且つ０．０５ｃｙｃｌｅ／ｍｍ〜０．２５ｃｙｃｌｅ／ｍｍの周波数を有する。そこで、シミ算出部１４は、シミの周波数帯域を有する成分が抽出されるようにＤｏｇ画像処理を行う。さらに、このＤｏｇ画像処理の際に、閾値処理した２値化画像から各成分の形状を算出し、丸い形状で且つその円形度（４π×面積）／周囲長２が０．４〜１．０、好ましくは０．６〜１．０で、周囲長が２ｍｍ以上１０ｍｍ未満の成分をシミ部分として検出することができる。
【００４４】
また、シミ部分は、上述したＤｏｇ画像処理を行った後に、さらに赤みの値および黄みの値が所定の閾値より小さい成分を抽出することで検出してもよい。例えば、シミが生じやすい領域に評価領域Ｒ２を設定すると共にシミが生じにくい領域に基準領域Ｒ２ａを設定し、評価領域Ｒ２と基準領域Ｒ２ａの間でａ＊成分の値の差分Δａ＊またはｂ＊成分の値の差分Δｂ＊を算出して、Δａ＊の値が２．５より小さい部分またはΔｂ＊の値が２．５より小さい部分をシミ部分として抽出することができる。
【００４５】
なお、Ｌ＊成分画像だけでなく、ａ＊成分画像およびｂ＊成分画像などの色成分画像を用いてＤｏｇ画像を生成し、上記と同様にして、シミ部分を検出することもできる。また、ＲＧＢ色空間のＢチャネルを用いてＤｏｇ画像を生成して、シミ部分を検出することもできる。
また、シミ算出部１４は、Ｄｏｇ画像を生成することなく、例えば、Ｌ＊成分画像から所定の閾値以下の強度を有する成分を抽出し、抽出された成分について主成分分析および独立成分分析などを実施することによりシミ部分を検出することもできる。
【００４６】
そして、シミ算出部１４は、例えば、評価領域Ｒ２において検出されたシミ部分の総面積を明るさ・色指標として算出する。ここで、シミ部分は、化粧が施された被験者の顔Ｆを全体的に見たときに暗い印象を与えるものであり、その総面積が小さいほど化粧が施された被験者の顔Ｆの視覚的うるおい感が高く感じられる。
シミ算出部１４は、算出した明るさ・色指標をうるおい感評価部５に出力する。
【００４７】
色むら算出部１５は、色空間変換部３で生成された明るさ成分画像または色成分画像に対して評価領域Ｒ３を設定し、評価領域Ｒ３から色むら部分を検出する。例えば、Ｌ＊成分画像に対して被験者の顔Ｆの頬部分に評価領域Ｒ３を設定することができる。
【００４８】
ここで、色むら部分は、シミ部分の検出と同様にして、Ｄｏｇ画像を生成することにより検出することができる。すなわち、Ｌ＊成分画像からガウシアンの大きさが異なるＤｏｇ画像を生成する。一般的に、色むらは、外接円の直径が約１０ｍｍ以上の大きさで且つ０．０５ｃｙｃｌｅ／ｍｍ以上の周波数を有する。そこで、色むら算出部１５は、色むらの周波数帯域を有する成分が抽出されるようにＤｏｇ画像処理を行う。さらに、このＤｏｇ画像処理の際に、閾値処理した２値化画像から各成分の形状を算出し、丸い形状で且つその円形度（４π×面積）／周囲長２が０．４〜１．０、好ましくは０．６〜１．０で、周囲長が約１０ｍｍ以上の成分を色むら部分として検出することができる。
【００４９】
また、色むら部分は、上述したＤｏｇ画像処理を行った後に、さらに赤みの値および黄みの値が所定の閾値より小さい成分を抽出することで検出してもよい。例えば、色むらが生じやすい領域に評価領域Ｒ３を設定すると共に色むらが生じにくい領域に基準領域Ｒ３ａを設定し、評価領域Ｒ３と基準領域Ｒ３ａの間でａ＊成分の値の差分Δａ＊またはｂ＊成分の値の差分Δｂ＊を算出して、Δａ＊の値が２．５より小さい部分またはΔｂ＊の値が２．５より小さい部分をシミ部分として抽出することができる。
【００５０】
なお、Ｌ＊成分画像だけでなく、ａ＊成分画像およびｂ＊成分画像などの色成分画像を用いてＤｏｇ画像を生成し、上記と同様にして、色むら部分を検出することもできる。また、ＲＧＢ色空間のＢチャネルを用いてＤｏｇ画像を生成して、色むら部分を検出することもできる。
【００５１】
そして、色むら算出部１５は、例えば、評価領域Ｒ３において検出された色むら部分の総面積を明るさ・色指標として算出する。ここで、色むら部分は、化粧が施された被験者の顔Ｆを全体的に見たときに暗い印象を与えるものであり、その総面積が小さいほど化粧が施された被験者の顔Ｆの視覚的うるおい感が高く感じられる。
色むら算出部１５は、算出した明るさ・色指標をうるおい感評価部５に出力する。
【００５２】
さらに、色空間変換部３は、算出した明るさの値と色成分の値とを形状指標算出部１１のシワ算出部１６と毛穴算出部１７にそれぞれ出力する。
【００５３】
シワ算出部１６は、色空間変換部３で生成された明るさ成分画像または色成分画像に対して、図５に示すように、小鼻から口角に延びる評価領域Ｒ４を設定し、評価領域Ｒ４からシワ部分Ｗを検出する。また、シワ算出部１６は、評価領域Ｒ４の周辺に基準領域Ｒ４ａを設定し、基準領域Ｒ４ａにおけるＬ＊の平均値を求める。
続いて、シワ算出部１６は、評価領域Ｒ４におけるＬ＊の値から基準領域Ｒ４ａのＬ＊の平均値を減算したΔＬ＊成分画像を作成し、予め設定された所定の閾値に基づいてΔＬ＊成分画像の評価領域Ｒ４からシワ部分を検出する。例えば、評価領域Ｒ４においてΔＬ＊の値が１０未満となるものをシワ部分として検出することができる。
【００５４】
そして、シワ算出部１６は、例えば、評価領域Ｒ４において検出されたシワ部分の総面積を形状指標として算出する。ここで、評価領域Ｒ４において検出されるシワ部分は、いわゆるほうれい線であり、化粧が施された被験者の顔Ｆを全体的に見たときに、暗い影を生じる凹凸部分としての印象を与えるものであり、その総面積が小さいほど化粧が施された被験者の顔Ｆの視覚的うるおい感が高く感じられる。
シワ算出部１６は、算出した形状指標をうるおい感評価部５に出力する。
【００５５】
毛穴算出部１７は、色空間変換部３で生成された明るさ成分画像または色成分画像に対して評価領域Ｒ５を設定し、評価領域Ｒ５から毛穴部分を検出する。例えば、Ｌ＊成分画像に対して被験者の顔Ｆの頬部分に評価領域Ｒ５を設定することができる。
ここで、毛穴部分は、シミ部分を検出する場合と同様に、Ｄｏｇ画像を生成することにより検出することができる。すなわち、Ｌ＊成分画像からガウシアンの大きさが異なるＤｏｇ画像を生成する。一般的に、毛穴は外接円の直径が０．５ｍｍ以上２ｍｍ未満の大きさで且つ０．２５ｃｙｃｌｅ／ｍｍ〜１．０ｃｙｃｌｅ／ｍｍの周波数を有する。そこで、毛穴算出部１７は、毛穴の周波数帯域を有する成分が抽出されるようにＤｏｇ画像処理を行う。さらに、このＤｏｇ画像処理の際に、閾値処理した２値化画像から各成分の形状を算出し、丸い形状で且つその円形度（４π×面積）／周囲長２が０．４〜１．０、好ましくは０．６〜１．０で、周囲長が０．５ｍｍ以上２ｍｍ未満の成分を毛穴部分として検出することができる。
【００５６】
また、毛穴部分は、上述したＤｏｇ画像処理を行った後に、さらに赤みの値および黄みの値が所定の閾値より小さい成分を抽出することで検出してもよい。例えば、毛穴部分が多く存在する領域に評価領域Ｒ５を設定すると共に毛穴部分が少ない領域に基準領域Ｒ５ａを設定し、基準領域Ｒ５と基準領域Ｒ５ａの間でａ＊成分の値の差分Δａ＊またはｂ＊成分の値の差分Δｂ＊を算出して、Δａ＊の値が２．５より小さい部分またはΔｂ＊の値が２．５より小さい部分をシミ部分として抽出することができる。
【００５７】
なお、Ｌ＊成分画像だけでなく、ａ＊成分画像およびｂ＊成分画像などの色成分画像を用いてＤｏｇ画像を生成し、上記と同様にして、毛穴部分を検出することもできる。また、ＲＧＢ色空間のＢチャネルを用いてＤｏｇ画像を生成して、毛穴部分を検出することもできる。
【００５８】
そして、毛穴算出部１７は、例えば、評価領域Ｒ５において検出された毛穴部分の総面積を形状指標として算出する。ここで、毛穴部分は、化粧が施された被験者の顔Ｆを全体的に見たときに、暗い影を生じる凹凸部分としての印象を与えるものであり、その総面積が小さいほど化粧が施された被験者の顔Ｆの視覚的うるおい感が高く感じられる。
毛穴算出部１７は、算出した形状指標をうるおい感評価部５に出力する。
【００５９】
このようにして、明るさ・色指標算出部１０のツヤ算出部１３、シミ算出部１４および色むら算出部１５で算出された全ての明るさ・色指標と、形状指標算出部１１のシワ算出部１６および毛穴算出部１７で算出された全ての形状指標とがうるおい感評価部５に入力される。
【００６０】
うるおい感評価部５は、入力された明るさ・色指標の値と形状指標の値とに基づいて、基準値データベース７を参照する。基準値データベース７には、予め目視評価を実施して得られた視覚的うるおい感の基準値が、明るさ・色指標の値と形状指標の値とを重回帰式などを用いて線形和した総合指標に対して格納されている。そこで、うるおい感評価部５は、基準値データベース７を参照して、指標算出部４から入力された明るさ・色指標の値と形状指標の値に応じた視覚的うるおい感の基準値を求め、この基準値に基づいて化粧が施された被験者の顔Ｆの視覚的うるおい感の評価を行う。
うるおい感評価部５で求められた視覚的うるおい感の評価結果は、表示部６に出力されて表示される。
【００６１】
本実施の形態によれば、化粧が施された被験者の顔Ｆ全体にわたる視覚的うるおい感の各物理特性を複合的に評価するため、化粧が施された被験者の顔Ｆを全体的に見たときの感覚に近い評価を行うことができ、視覚的うるおい感を高精度に評価することができる。さらに、ツヤ算出部１３で算出されるツヤの発生量は、化粧に起因した視覚的うるおい感の変化を示す化粧肌に特有の評価指標であり、この評価指標を用いることにより化粧肌の視覚的うるおい感を精度よく評価することができる。
【００６２】
なお、上記のような視覚的うるおい感の評価は、入力手段、ＣＰＵおよびメモリなどから構成されるコンピュータをうるおい感評価プログラムにより機能させることで実行することができる。すなわち、うるおい感評価プログラムがコンピュータを機能させることにより、画像入力部１が、被験者の顔を撮影した撮影画像を取得し、取得された撮影画像に基づいて、ＣＰＵが、前処理部２、色空間変換部３、指標算出部４およびうるおい感評価部５を実行させて被験者の顔について視覚的うるおい感の評価を行う。
【００６３】
また、上記の実施の形態では、画像入力部１に接続されたカメラＣから撮影画像が入力されたが、撮影画像を入力することができればよく、これに限られるものではない。
例えば、撮影画像を保存したコンピュータからネットワークを介して画像入力部１に撮影画像を入力することもできる。うるおい感評価装置は、コンピュータから入力された撮影画像に基づいて視覚的うるおい感を評価して、その評価結果をサーバなどに格納する。これにより、ユーザは、サーバにアクセスすることで視覚的うるおい感の評価結果を閲覧、または、サーバからネットワークを介して視覚的うるおい感の評価結果を入手することができる。
【００６４】
また、上記の実施の形態では、ツヤ算出部１３は、第１の評価領域Ｒ１と基準領域Ｒ１ａとの間で明るさの代表値の差と彩度の代表値の差とを算出することによりツヤの発生量を算出したが、ツヤに関する新たな評価を追加することによりツヤの発生量をより正確に示すことができる。
【００６５】
例えば、第１の評価領域Ｒ１における明るさの値の均一性および彩度の値の均一性をツヤの発生量の評価に新たに追加することができる。具体的には、明るさ成分画像と色成分画像をそれぞれ高速フーリエ変換（ＦＦＴ）することにより第１の評価領域Ｒ１における明るさの周波数特性と彩度の周波数特性を算出し、これらの周波数特性に基づいて明るさの値の均一性と彩度の値の均一性を算出することができる。この明るさの値の均一性と彩度の値の均一性を新たに追加することにより、ツヤの発生量をより正確に示すことができる。
【００６６】
また、第１の評価領域Ｒ１における明るさの広がりおよび彩度の広がりをツヤの発生量の評価に新たに追加することができる。具体的には、明るさ成分画像と色成分画像をそれぞれ１次元プロファイル化し、明るさの値の半値幅を明るさの広がりとして算出すると共に彩度の値の半値幅を彩度の広がりとして算出することができる。この明るさの値の半値幅と彩度の値の半値幅を新たに追加することにより、ツヤの発生量をより正確に示すことができる。
【００６７】
また、上記の実施の形態では、ツヤ算出部１３は、第１の評価領域Ｒ１と基準領域Ｒ１ａとの間で明るさの代表値の差と彩度の代表値の差の両方を算出することによりツヤの発生量を算出したが、第１の評価領域Ｒ１と基準領域Ｒ１ａとの間で明るさの代表値の差および彩度の代表値の差の一方のみを算出することによりツヤの発生量を算出することもできる。
例えば、ツヤ算出部１３は、第１の評価領域Ｒ１および基準領域Ｒ１ａのそれぞれについて彩度の平均値または彩度の最低値を求めることにより、第１の評価領域と基準領域Ｒ１ａとの間で彩度の平均値の差または彩度の最低値の差を彩度の代表値の差として算出し、この彩度の代表値の差のみをツヤの発生量とすることができる。また、ツヤ算出部１３は、第１の評価領域Ｒ１および基準領域Ｒ１ａのそれぞれについて明るさの平均値または明るさの最大値を求めることにより、第１の評価領域と基準領域Ｒ１ａとの間で明るさの平均値の差または明るさの最大値の差を明るさの代表値の差として算出し、この明るさの代表値の差のみをツヤの発生量とすることもできる。
なお、第１の評価領域Ｒ１と基準領域Ｒ１ａとの間で明るさの代表値の差および彩度の代表値の差の一方をツヤの発生量として算出する場合には、彩度の代表値の差をツヤの発生量として算出することが好ましい。
【００６８】
実際に、うるおい感評価装置を用いて化粧が施された被験者の顔の視覚的うるおい感を評価した実施例を示す。
この実施例は、２０歳代から５０歳代の被験者に対して、上記のうるおい感評価装置を用いて視覚的うるおい感の評価を行うと共に、複数人の観察者により被験者の顔Ｆを全体的に見たときの視覚的うるおい感の目視評価を行ったものである。
【００６９】
図６に、うるおい感評価装置を用いて得られた明るさ・色指標と形状指標とを線形和して算出した総合指標の値を、目視評価値に対してプロットしたグラフを示す。ここで、目視評価値は、複数人の観察者の目視評価により視覚的うるおい感をそれぞれ５段階で評価した平均値であり、値が５に近づくほど視覚的うるおい感があると評価されたものである。
【００７０】
図６について、総合指標の値と目視評価値との間の相関をそれぞれ算出した結果、相関係数Ｒ２は０．８４であった。
このことから、化粧が施された被験者の顔Ｆ全体にわたる視覚的うるおい感の各物理特性を複合的に評価することにより、被験者の顔Ｆを全体的に観察した目視評価との相関が非常に高くなり、視覚的うるおい感を高精度に評価できることがわかる。
【００７１】
また、図７に、素肌に特化した視覚的うるおい感の評価装置を用いて化粧が施された被験者の顔の視覚的うるおい感を評価した比較例を示す。このうるおい感評価装置は、特願２０１４−０３１４６０号に記載された評価装置であり、具体的には、肌の明るさ、くすみ部分の存在量、シミ部分の存在量、色むら部分の存在量、シワ部分の存在量、毛穴部分の存在量および頬輪郭形状に生じた窪み量を評価指標として算出するものである。図７は、この評価装置を用いて化粧肌を測定して得られた総合指標の値を目視評価値に対してプロットしたグラフである。
【００７２】
図７について、総合指標の値と目視評価値との間の相関をそれぞれ算出した結果、相関係数Ｒ２は０．２０であった。
このことから、素肌と同じ評価指標を用いて化粧肌を評価しても目視評価との間に高い相関は得られず、化粧肌に特有なツヤの発生量を評価指標として新たに加えることにより、化粧肌の視覚的うるおい感を精度よく評価できることがわかる。
【符号の説明】
【００７３】
１  画像入力部、２  前処理部、３  色空間変換部、４  指標算出部、５  うるおい感評価部、６  表示部、７  基準値データベース、８  制御部、９  操作部、１０  明るさ・色指標算出部、１１  形状指標算出部、１３  ツヤ算出部、１４  シミ算出部、１５  色むら算出部、１６  シワ算出部、１７  毛穴算出部、Ｒ１，Ｒ４  評価領域、Ｒ１ａ  基準領域、Ｆ  顔、Ｃ  カメラ、Ｋ  頬部、Ｅａ  目尻、Ｅｂ  目頭、Ｗ  シワ部分。
【図１】
0006297941.tif 000002
【図２】
0006297941.tif 000003
【図３】
0006297941.tif 000004
【図４】
0006297941.tif 000005
【図５】
0006297941.tif 000006
【図６】
0006297941.tif 000007
【図７】
0006297941.tif 000008